(57)【要約】【課題】本発明は装飾品の陳列棚を開示した。【解決手段】ボックス主体とベースとを含み、前記ボックス主体が前記ベースの頂端に固定され、前記ボックス主体の中にはスライドチャンバが設置され、前記スライドチャンバの中には装飾品陳列機構が設置され、前記装飾品陳列機構は前記スライドチャンバの左右両側の端壁に設置されたスライド溝を含み、二組の前記スライド溝が左右対称的に設置され、前記スライドチャンバの中にはスライドブロックがスライドできるように設置され、前記スライドブロックの底端にはスライド板が固定的に設置され、前記スライド板と前記スライド溝とがスライドできるように設置され、本発明の陳列棚は、装飾品を展示しない時に装飾品を収納でき、それと同時に半球状カバーの設計によって、装飾品を収納する時に装飾品に埃が付くことを避けられ、装飾品の清潔を保証できる。【選択図】図１
2020182748.tif 000002
【特許請求の範囲】
【請求項１】
正面視で、ボックス主体とベースとを含み、前記ボックス主体が前記ベースの頂端に固定され、前記ボックス主体の中にはスライドチャンバが設置され、前記スライドチャンバの中には装飾品陳列機構が設置され、前記装飾品陳列機構は前記スライドチャンバの左右両側の端壁に設置されたスライド溝を含み、二組の前記スライド溝が左右対称的に設置され、前記スライドチャンバの中にはスライドブロックがスライドできるように設置され、前記スライドブロックの底端にはスライド板が固定的に設置され、前記スライド板と前記スライド溝とがスライドできるように設置され、前記スライドブロックの頂端には半球状チャンバが設置され、前記半球状チャンバの前後端壁の間には支持軸が固定的に設置され、前記支持軸の外周には展示台が固定的に設置され、前記展示台の頂端に装飾品を置くことができ、前記支持軸の外周には回転ブロックが設置され、前記回転ブロックは二組あり、二組の前記回転ブロックが前後対称的に設置され、二組の前記回転ブロックの間には半球状カバーが固定的に設置され、前側の前記回転ブロックと前記支持軸とが回転できるように連結され、後側の前記回転ブロックの中には滑り軸受が固定的に設置され、前記滑り軸受と前記支持軸とが回転できるように連結され、前記半球状チャンバの後側端壁の中には小空きチャンバが設置され、前記滑り軸受と前記小空きチャンバの前側端壁とが回転できるように連結され、前記半球状チャンバの底端には長空きチャンバが設置され、前記長空きチャンバと前記小空きチャンバとが連通するように設置され、前記長空きチャンバの中には前記半球状カバーの開閉を制御できる反転機構が設置され、前記スライドチャンバの左右両側の端壁の中にはいずれも伝動チャンバが設置され、前記ボックス主体の左右両側の端面にはいずれも固定ブロックが固定的に設置されていることを特徴とする装飾品の陳列棚。
【請求項２】
前記反転機構は前記長空きチャンバの中に回転できるように設置された横軸を含み、前記横軸が前後に伸びるように設置され、前記横軸の外周には第一リールが固定的に設置され、前記横軸の外周にはまた第一プーリが固定的に設置され、前記第一プーリが前記第一リールの後側に位置しており、前記横軸の外周にはねじりばねが設置され、前記ねじりばねの一端が前記長空きチャンバの内壁と固定され、前記ねじりばねのもう一端が前記横軸と固定され、前記滑り軸受の後端には前記小空きチャンバの中に位置している第二プーリが固定的に設置され、前記第二プーリと前記第一プーリとの間が第一ベルトによって連結され、前記スライドチャンバの底壁には底溝が設置され、前記底溝と前記長空きチャンバとが連通しており、前記底溝の中には第一引き紐が設置され、前記第一引き紐の一端が前記底溝の底壁と固定され、前記第一引き紐のもう一端が前記第一リールに巻き付いていることを特徴とする請求項１に記載の装飾品の陳列棚。
【請求項３】
前記照明機構は前記固定ブロックの中に設置された貫通溝を含み、前記貫通溝の中にはいずれも伝動ギヤが回転できるように設置され、前記伝動ギヤの前側端面にはいずれも第三プーリが固定的に設置され、前記貫通溝の中にはまた回転板が回転できるように設置され、前記回転板の底端と前記伝動ギヤとが噛み合うように設置され、前記回転板の頂端にはいずれも揺れ動き板が固定的に設置され、前記揺れ動き板の頂部には照明ライトが固定的に設置され、前記スライドチャンバの左右両側の端壁の中にはいずれも糸巻きチャンバが設置され、前記糸巻きチャンバの中にはいずれも第二リールが回転できるように設置され、前記第二リールにはいずれも第二引き紐が巻き付いており、前記第二引き紐の一端が前記スライド板と固定され、前記第二引き紐のもう一端が前記揺れ動き板と固定的に連結されていることを特徴とする請求項１に記載の装飾品の陳列棚。
【請求項４】
前記伝動チャンバの底部の前記ボックス主体の中にはいずれも動力チャンバが設置され、二組の前記動力チャンバの間には左右に伸びるように設置された動力軸が回転できるように設置され、前記動力チャンバの中に位置している前記動力軸の外周にはいずれも第一ベベルギヤが固定的に設置され、前記動力軸の左側末端と前記ボックス主体の中に固定的に嵌められたモーターとが動力が伝達できるように連結され、前記伝動チャンバと前記動力チャンバとの間にはいずれも伝動軸が回転できるように設置され、前記伝動軸の底端にはいずれも前記動力チャンバの中に位置している第二ベベルギヤが固定的に設置され、前記第二ベベルギヤと前記第一ベベルギヤとが噛み合っており、前記伝動軸の頂端にはいずれも第三ベベルギヤが固定的に設置され、前記伝動チャンバの中にはいずれも第四ベベルギヤが回転できるように設置され、前記第四ベベルギヤと前記第三ベベルギヤとが噛み合っており、前記第四ベベルギヤの前側端面にはいずれも第四プーリが固定的に設置され、前記第四プーリと前記第三プーリとの間が第二ベルトによって連結されていることを特徴とする請求項１に記載の装飾品の陳列棚。
【発明の詳細な説明】
【技術分野】
【０００１】
本発明は展示台技術分野に関わり、具体的には装飾品の陳列棚である。
【背景技術】
【０００２】
今、市販のほどんどの装飾品の陳列棚は一つのベースと支持フレームにより構成されたのであり、装飾品を支持フレームにかけて展示し、このような陳列棚は構成が単一で、機能性が高くなく、また、展示しない時、装飾品を人によって収納する必要があり、非常に不便で、もし展示の頻度が高かったら、従業員は装飾品を頻繁に収納することで、装飾品に埃が付きやすい。
【先行技術文献】
【特許文献】
【０００３】
【特許文献１】中国特許出願公開第１０４７００７４３号明細書
【発明の概要】
【発明が解決しようとする課題】
【０００４】
本発明は装飾品の陳列棚を提供し、既存技術にある上記欠点を解消することを目的とする。
【課題を解決するための手段】
【０００５】
本発明実施例の装飾品の陳列棚はボックス主体とベースとを含み、前記ボックス主体が前記ベースの頂端に固定され、前記ボックス主体の中にはスライドチャンバが設置され、前記スライドチャンバの中には装飾品陳列機構が設置され、前記装飾品陳列機構は前記スライドチャンバの左右両側の端壁に設置されたスライド溝を含み、二組の前記スライド溝が左右対称的に設置され、前記スライドチャンバの中にはスライドブロックがスライドできるように設置され、前記スライドブロックの底端にはスライド板が固定的に設置され、前記スライド板と前記スライド溝とがスライドできるように設置され、前記スライドブロックの頂端には半球状チャンバが設置され、前記半球状チャンバの前後端壁の間には支持軸が固定的に設置され、前記支持軸の外周には展示台が固定的に設置され、前記展示台の頂端に装飾品を置くことができ、前記支持軸の外周には回転ブロックが設置され、前記回転ブロックは二組あり、二組の前記回転ブロックが前後対称的に設置され、二組の前記回転ブロックの間には半球状カバーが固定的に設置され、前側の前記回転ブロックと前記支持軸とが回転できるように連結され、後側の前記回転ブロックの中には滑り軸受が固定的に設置され、前記滑り軸受と前記支持軸とが回転できるように連結され、前記半球状チャンバの後側端壁の中には小空きチャンバが設置され、前記滑り軸受と前記小空きチャンバの前側端壁とが回転できるように連結され、前記半球状チャンバの底端には長空きチャンバが設置され、前記長空きチャンバと前記小空きチャンバとが連通するように設置され、前記長空きチャンバの中には前記半球状カバーの開閉を制御できる反転機構が設置され、前記スライドチャンバの左右両側の端壁の中にはいずれも伝動チャンバが設置され、前記ボックス主体の左右両側の端面にはいずれも固定ブロックが固定的に設置されている。
【０００６】
さらなる技術プランには、前記反転機構は前記長空きチャンバの中に回転できるように設置された横軸を含み、前記横軸が前後に伸びるように設置され、前記横軸の外周には第一リールが固定的に設置され、前記横軸の外周にはまた第一プーリが固定的に設置され、前記第一プーリが前記第一リールの後側に位置しており、前記横軸の外周にはねじりばねが設置され、前記ねじりばねの一端が前記長空きチャンバの内壁と固定され、前記ねじりばねのもう一端が前記横軸と固定され、前記滑り軸受の後端には前記小空きチャンバの中に位置している第二プーリが固定的に設置され、前記第二プーリと前記第一プーリとの間が第一ベルトによって連結され、前記スライドチャンバの底壁には底溝が設置され、前記底溝と前記長空きチャンバとが連通しており、前記底溝の中には第一引き紐が設置され、前記第一引き紐の一端が前記底溝の底壁と固定され、前記第一引き紐のもう一端が前記第一リールに巻き付いている。
【０００７】
さらなる技術プランには、前記照明機構は前記固定ブロックの中に設置された貫通溝を含み、前記貫通溝の中にはいずれも伝動ギヤが回転できるように設置され、前記伝動ギヤの前側端面にはいずれも第三プーリが固定的に設置され、前記貫通溝の中にはまた回転板が回転できるように設置され、前記回転板の底端と前記伝動ギヤとが噛み合うように設置され、前記回転板の頂端にはいずれも揺れ動き板が固定的に設置され、前記揺れ動き板の頂部には照明ライトが固定的に設置され、前記スライドチャンバの左右両側の端壁の中にはいずれも糸巻きチャンバが設置され、前記糸巻きチャンバの中にはいずれも第二リールが回転できるように設置され、前記第二リールにはいずれも第二引き紐が巻き付いており、前記第二引き紐の一端が前記スライド板と固定され、前記第二引き紐のもう一端が前記揺れ動き板と固定的に連結されている。
【０００８】
さらなる技術プランには、前記伝動チャンバの底部の前記ボックス主体の中にはいずれも動力チャンバが設置され、二組の前記動力チャンバの間には左右に伸びるように設置された動力軸が回転できるように設置され、前記動力チャンバの中に位置している前記動力軸の外周にはいずれも第一ベベルギヤが固定的に設置され、前記動力軸の左側末端と前記ボックス主体の中に固定的に嵌められたモーターとが動力が伝達できるように連結され、前記伝動チャンバと前記動力チャンバとの間にはいずれも伝動軸が回転できるように設置され、前記伝動軸の底端にはいずれも前記動力チャンバの中に位置している第二ベベルギヤが固定的に設置され、前記第二ベベルギヤと前記第一ベベルギヤとが噛み合っており、前記伝動軸の頂端にはいずれも第三ベベルギヤが固定的に設置され、前記伝動チャンバの中にはいずれも第四ベベルギヤが回転できるように設置され、前記第四ベベルギヤと前記第三ベベルギヤとが噛み合っており、前記第四ベベルギヤの前側端面にはいずれも第四プーリが固定的に設置され、前記第四プーリと前記第三プーリとの間が第二ベルトによって連結されている。
【発明の効果】
【０００９】
本発明の有益な効果は：本発明の陳列棚は、装飾品を展示しない時に装飾品を収納でき、それと同時に半球状カバーの設計によって、装飾品を収納する時に装飾品に埃が付くことを避けられ、装飾品の清潔を保証でき、また、照明機構の設計によって装飾品が夜間に展示される時に明るく照らされることができ、観察に便利を与える。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の装飾品の陳列棚の内部全体構成概略図
【図２】図２は本発明の中のスライドブロックの左側内部構成概略図
【図３】図３は本発明の中の固定ブロックの部分拡大構成概略図
【図４】図４は本発明の中の滑り軸受の部分拡大構成概略図
【発明を実施するための形態】
【００１２】
図１〜４を参照して、本発明実施例の装飾品の陳列棚はボックス主体１０とベース１１とを含み、前記ボックス主体１０が前記ベース１１の頂端に固定され、前記ボックス主体１０の中にはスライドチャンバ２５が設置され、前記スライドチャンバ２５の中には装飾品陳列機構７１が設置され、前記装飾品陳列機構７１は前記スライドチャンバ２５の左右両側の端壁に設置されたスライド溝４６を含み、二組の前記スライド溝４６が左右対称的に設置され、前記スライドチャンバ２５の中にはスライドブロック３２がスライドできるように設置され、前記スライドブロック３２の底端にはスライド板４５が固定的に設置され、前記スライド板４５と前記スライド溝４６とがスライドできるように設置され、前記スライドブロック３２の頂端には半球状チャンバ３１が設置され、前記半球状チャンバ３１の前後端壁の間には支持軸２９が固定的に設置され、前記支持軸２９の外周には展示台２７が固定的に設置され、前記展示台２７の頂端に装飾品を置くことができ、前記支持軸２９の外周には回転ブロック３０が設置され、前記回転ブロック３０は二組あり、二組の前記回転ブロック３０が前後対称的に設置され、二組の前記回転ブロック３０の間には半球状カバー２６が固定的に設置され、前側の前記回転ブロック３０と前記支持軸２９とが回転できるように連結され、後側の前記回転ブロック３０の中には滑り軸受４３が固定的に設置され、前記滑り軸受４３と前記支持軸２９とが回転できるように連結され、前記半球状チャンバ３１の後側端壁の中には小空きチャンバ４１が設置され、前記滑り軸受４３と前記小空きチャンバ４１の前側端壁とが回転できるように連結され、前記半球状チャンバ３１の底端には長空きチャンバ６２が設置され、前記長空きチャンバ６２と前記小空きチャンバ４１とが連通するように設置され、前記長空きチャンバ６２の中には前記半球状カバー２６の開閉を制御できる反転機構７２が設置され、前記スライドチャンバ２５の左右両側の端壁の中にはいずれも伝動チャンバ１７が設置され、前記ボックス主体１０の左右両側の端面にはいずれも固定ブロック６０が固定的に設置され、前記固定ブロック６０の中には装飾品を明るく照らせる照明機構７３が設置されている。
【００１３】
前記反転機構７２は前記長空きチャンバ６２の中に回転できるように設置された横軸３８を含み、前記横軸３８が前後に伸びるように設置され、前記横軸３８の外周には第一リール３７が固定的に設置され、前記横軸３８の外周にはまた第一プーリ３９が固定的に設置され、前記第一プーリ３９が前記第一リール３７の後側に位置しており、前記横軸３８の外周にはねじりばね６７が設置され、前記ねじりばね６７の一端が前記長空きチャンバ６２の内壁と固定され、前記ねじりばね６７のもう一端が前記横軸３８と固定され、前記滑り軸受４３の後端には前記小空きチャンバ４１の中に位置している第二プーリ４２が固定的に設置され、前記第二プーリ４２と前記第一プーリ３９との間が第一ベルト４０によって連結され、前記スライドチャンバ２５の底壁には底溝３３が設置され、前記底溝３３と前記長空きチャンバ６２とが連通しており、前記底溝３３の中には第一引き紐３４が設置され、前記第一引き紐３４の一端が前記底溝３３の底壁と固定され、前記第一引き紐３４のもう一端が前記第一リール３７に巻き付いており、前記スライド板４５の上方へのスライドにより、前記第一引き紐３４が前記第一リール３７を引き動かして回転させ、更に前記横軸３８が前記第一プーリ３９を回転連動させ、第一プーリ３９が前記第一ベルト４０を通して前記第二プーリ４２を回転連動させ、更に前記滑り軸受４３が前記半球状カバー２６を反転連動させ、それにより前記展示台２７にある装飾品を展示できる。
【００１４】
前記照明機構７３は前記固定ブロック６０の中に設置された貫通溝５２を含み、前記貫通溝５２の中にはいずれも伝動ギヤ６８が回転できるように設置され、前記伝動ギヤ６８の前側端面にはいずれも第三プーリ５１が固定的に設置され、前記貫通溝５２の中にはまた回転板５０が回転できるように設置され、前記回転板５０の底端と前記伝動ギヤ６８とが噛み合うように設置され、前記回転板５０の頂端にはいずれも揺れ動き板２０が固定的に設置され、前記揺れ動き板２０の頂部には照明ライト２２が固定的に設置され、前記スライドチャンバ２５の左右両側の端壁の中にはいずれも糸巻きチャンバ２３が設置され、前記糸巻きチャンバ２３の中にはいずれも第二リール２４が回転できるように設置され、前記第二リール２４にはいずれも第二引き紐４７が巻き付いており、前記第二引き紐４７の一端が前記スライド板４５と固定され、前記第二引き紐４７のもう一端が前記揺れ動き板２０と固定的に連結され、前記貫通溝５２の回転を通し、前記揺れ動き板２０を揺り動かし、更にそれにより前記第二引き紐４７が前記スライド板４５を引き動かして上方へ移動させ、それにより前記スライドブロック３２が上方へスライドし、前記半球状カバー２６が開けられる。
【００１５】
前記伝動チャンバ１７の底部の前記ボックス主体１０の中にはいずれも動力チャンバ１２が設置され、二組の前記動力チャンバ１２の間には左右に伸びるように設置された動力軸３５が回転できるように設置され、前記動力チャンバ１２の中に位置している前記動力軸３５の外周にはいずれも第一ベベルギヤ１３が固定的に設置され、前記動力軸３５の左側末端と前記ボックス主体１０の中に固定的に嵌められたモーター３６とが動力が伝達できるように連結され、前記伝動チャンバ１７と前記動力チャンバ１２との間にはいずれも伝動軸１５が回転できるように設置され、前記伝動軸１５の底端にはいずれも前記動力チャンバ１２の中に位置している第二ベベルギヤ１４が固定的に設置され、前記第二ベベルギヤ１４と前記第一ベベルギヤ１３とが噛み合っており、前記伝動軸１５の頂端にはいずれも第三ベベルギヤ１６が固定的に設置され、前記伝動チャンバ１７の中にはいずれも第四ベベルギヤ１８が回転できるように設置され、前記第四ベベルギヤ１８と前記第三ベベルギヤ１６とが噛み合っており、前記第四ベベルギヤ１８の前側端面にはいずれも第四プーリ１９が固定的に設置され、前記第四プーリ１９と前記第三プーリ５１との間が第二ベルト７０によって連結され、前記モーター３６を制御して作動させることにより、前記動力軸３５が回転し、更に前記第一ベベルギヤ１３が前記第二ベベルギヤ１４を回転連動させ、それにより前記伝動軸１５が前記第三ベベルギヤ１６を回転連動させ、前記第四ベベルギヤ１８を回転させ、更に前記伝動ギヤ６８を回転させ、それにより前記照明機構７３が開けられる。
【００１６】
使用する時、まずモーター３６を制御して作動させ、それによって動力軸３５が回転し、更に第一ベベルギヤ１３が第二ベベルギヤ１４を回転連動させ、それにより伝動軸１５が第三ベベルギヤ１６を回転連動させ、第四ベベルギヤ１８を回転させ、更に伝動ギヤ６８を回転させ、それによって揺れ動き板２０が揺れ動き、更に第二引き紐４７がスライド板４５を引き動かして上方へ移動させ、それによりスライドブロック３２が上方へスライドし、第一引き紐３４が第一リール３７を引き動かして回転させ、更に横軸３８が第一プーリ３９を回転連動させ、第一プーリ３９が第一ベルト４０を通して第二プーリ４２を回転連動させ、更に滑り軸受４３が半球状カバー２６を反転連動させて半球状チャンバ３１の中に収納し、それによって展示台２７にある装飾品を展示でき、装飾品を収納する時、モーター３６を制御して逆方向へ回転させれば装飾品の収納を実現できる。
【００１７】
本発明の有益な効果は：本発明の陳列棚は、装飾品を展示しない時に装飾品を収納でき、それと同時に半球状カバーの設計によって、装飾品を収納する時に装飾品に埃が付くことを避けられ、装飾品の清潔を保証でき、また、照明機構の設計によって装飾品が夜間に展示される時に明るく照らされることができ、観察に便利を与え、且つ展示しない時、直接に収納でき、従業員によって装飾品を収納する手間が省ける。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020182748.tif 000003
【図２】
2020182748.tif 000004
【図３】
2020182748.tif 000005
【図４】
2020182748.tif 000006
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
正面視で、ボックス主体とベースとを含み、前記ボックス主体が前記ベースの頂端に固定され、前記ボックス主体の中にはスライドチャンバが設置され、前記スライドチャンバの中には装飾品陳列機構が設置され、前記装飾品陳列機構は前記スライドチャンバの左右両側の端壁に設置されたスライド溝を含み、二組の前記スライド溝が左右対称的に設置され、前記スライドチャンバの中にはスライドブロックが上下にスライドできるように設置され、前記スライドブロックの底端にはスライド板が固定的に設置され、前記スライド板が前記スライド溝の中に上下にスライドできるように設置され、前記スライドブロックの頂端には半球状チャンバが設置され、前記半球状チャンバの前後端壁の間には支持軸が固定的に設置され、前記支持軸の外周には展示台が固定的に設置され、前記展示台の頂端に装飾品を置くことができ、前記支持軸の外周には回転ブロックが設置され、前記回転ブロックは二組あり、二組の前記回転ブロックが前後対称的に設置され、二組の前記回転ブロックの間には半球状カバーが固定的に設置され、前側の前記回転ブロックと前記支持軸とが回転できるように連結され、後側の前記回転ブロックの中には滑り軸受が固定的に設置され、前記滑り軸受と前記支持軸とが回転できるように連結され、前記半球状チャンバの後側端壁の中には小空きチャンバが設置され、前記滑り軸受と前記小空きチャンバの前側端壁とが回転できるように連結され、前記半球状チャンバの底端には長空きチャンバが設置され、前記長空きチャンバと前記小空きチャンバとが連通するように設置され、前記長空きチャンバの中には前記半球状カバーの開閉を制御できる反転機構が設置され、前記スライドチャンバの左右両側の端壁の中にはいずれも伝動チャンバが設置され、前記ボックス主体の左右両側の端面にはいずれも固定ブロックが固定的に設置されており、
前記反転機構は前記長空きチャンバの中に回転できるように設置された横軸を含み、前記横軸が前後に伸びるように設置され、前記横軸の外周には第一リールが固定的に設置され、前記横軸の外周にはまた第一プーリが固定的に設置され、前記第一プーリが前記第一リールの後側に位置しており、前記横軸の外周にはねじりばねが設置され、前記ねじりばねの一端が前記長空きチャンバの内壁と固定され、前記ねじりばねのもう一端が前記横軸と固定され、前記滑り軸受の後端には前記小空きチャンバの中に位置している第二プーリが固定的に設置され、前記第二プーリと前記第一プーリとの間が第一ベルトによって連結され、前記スライドチャンバの底壁には底溝が設置され、前記底溝と前記長空きチャンバとが連通しており、前記底溝の中には第一引き紐が設置され、前記第一引き紐の一端が前記底溝の底壁と固定され、前記第一引き紐のもう一端が前記第一リールに巻き付いており、
前記照明機構は前記固定ブロックの中に設置された貫通溝を含み、前記貫通溝の中にはいずれも伝動ギヤが回転できるように設置され、前記伝動ギヤの前側端面にはいずれも第三プーリが固定的に設置され、前記貫通溝の中にはまた回転板が回転できるように設置され、前記回転板の底端と前記伝動ギヤとが噛み合うように設置され、前記回転板の頂端にはいずれも揺れ動き板が固定的に設置され、前記揺れ動き板の頂部には照明ライトが固定的に設置され、前記スライドチャンバの左右両側の端壁の中にはいずれも糸巻きチャンバが設置され、前記糸巻きチャンバの中にはいずれも第二リールが回転できるように設置され、前記第二リールにはいずれも第二引き紐が巻き付いており、前記第二引き紐の一端が前記スライド板と固定され、前記第二引き紐のもう一端が前記揺れ動き板と固定的に連結されており、
前記伝動チャンバの底部の前記ボックス主体の中にはいずれも動力チャンバが設置され、二組の前記動力チャンバの間には左右に伸びるように設置された動力軸が回転できるように設置され、前記動力チャンバの中に位置している前記動力軸の外周にはいずれも第一ベベルギヤが固定的に設置され、前記動力軸の左側末端と前記ボックス主体の中に固定的に嵌められたモーターとが動力が伝達できるように連結され、前記伝動チャンバと前記動力チャンバとの間にはいずれも伝動軸が回転できるように設置され、前記伝動軸の底端にはいずれも前記動力チャンバの中に位置している第二ベベルギヤが固定的に設置され、前記第二ベベルギヤと前記第一ベベルギヤとが噛み合っており、前記伝動軸の頂端にはいずれも第三ベベルギヤが固定的に設置され、前記伝動チャンバの中にはいずれも第四ベベルギヤが回転できるように設置され、前記第四ベベルギヤと前記第三ベベルギヤとが噛み合っており、前記第四ベベルギヤの前側端面にはいずれも第四プーリが固定的に設置され、前記第四プーリと前記第三プーリとの間が第二ベルトによって連結されていることを特徴とする装飾品の陳列棚。
【手続補正２】
【補正対象書類名】明細書
【補正対象項目名】全文
【補正方法】変更
【補正の内容】
【発明の詳細な説明】
【技術分野】
【０００１】
本発明は展示台技術分野に関わり、具体的には装飾品の陳列棚である。 
【背景技術】
【０００２】
今、市販のほどんどの装飾品の陳列棚は一つのベースと支持フレームにより構成されたのであり、装飾品を支持フレームにかけて展示し、このような陳列棚は構成が単一で、機能性が高くなく、また、展示しない時、装飾品を人によって収納する必要があり、非常に不便で、もし展示の頻度が高かったら、従業員は装飾品を頻繁に収納することで、装飾品に埃が付きやすい。 
【先行技術文献】
【特許文献】
【０００３】
【特許文献１】中国特許出願公開第１０４７００７４３号明細書
【発明の概要】
【発明が解決しようとする課題】
【０００４】
本発明は装飾品の陳列棚を提供し、既存技術にある上記欠点を解消することを目的とする。
【課題を解決するための手段】
【０００５】
本発明実施例の装飾品の陳列棚はボックス主体とベースとを含み、前記ボックス主体が前記ベースの頂端に固定され、前記ボックス主体の中にはスライドチャンバが設置され、前記スライドチャンバの中には装飾品陳列機構が設置され、前記装飾品陳列機構は前記スライドチャンバの左右両側の端壁に設置されたスライド溝を含み、二組の前記スライド溝が左右対称的に設置され、前記スライドチャンバの中にはスライドブロックが上下にスライドできるように設置され、前記スライドブロックの底端にはスライド板が固定的に設置され、前記スライド板が前記スライド溝の中に上下にスライドできるように設置され、前記スライドブロックの頂端には半球状チャンバが設置され、前記半球状チャンバの前後端壁の間には支持軸が固定的に設置され、前記支持軸の外周には展示台が固定的に設置され、前記展示台の頂端に装飾品を置くことができ、前記支持軸の外周には回転ブロックが設置され、前記回転ブロックは二組あり、二組の前記回転ブロックが前後対称的に設置され、二組の前記回転ブロックの間には半球状カバーが固定的に設置され、前側の前記回転ブロックと前記支持軸とが回転できるように連結され、後側の前記回転ブロックの中には滑り軸受が固定的に設置され、前記滑り軸受と前記支持軸とが回転できるように連結され、前記半球状チャンバの後側端壁の中には小空きチャンバが設置され、前記滑り軸受と前記小空きチャンバの前側端壁とが回転できるように連結され、前記半球状チャンバの底端には長空きチャンバが設置され、前記長空きチャンバと前記小空きチャンバとが連通するように設置され、前記長空きチャンバの中には前記半球状カバーの開閉を制御できる反転機構が設置され、前記スライドチャンバの左右両側の端壁の中にはいずれも伝動チャンバが設置され、前記ボックス主体の左右両側の端面にはいずれも固定ブロックが固定的に設置されている。 
【０００６】
さらなる技術プランには、前記反転機構は前記長空きチャンバの中に回転できるように設置された横軸を含み、前記横軸が前後に伸びるように設置され、前記横軸の外周には第一リールが固定的に設置され、前記横軸の外周にはまた第一プーリが固定的に設置され、前記第一プーリが前記第一リールの後側に位置しており、前記横軸の外周にはねじりばねが設置され、前記ねじりばねの一端が前記長空きチャンバの内壁と固定され、前記ねじりばねのもう一端が前記横軸と固定され、前記滑り軸受の後端には前記小空きチャンバの中に位置している第二プーリが固定的に設置され、前記第二プーリと前記第一プーリとの間が第一ベルトによって連結され、前記スライドチャンバの底壁には底溝が設置され、前記底溝と前記長空きチャンバとが連通しており、前記底溝の中には第一引き紐が設置され、前記第一引き紐の一端が前記底溝の底壁と固定され、前記第一引き紐のもう一端が前記第一リールに巻き付いている。 
【０００７】
さらなる技術プランには、前記照明機構は前記固定ブロックの中に設置された貫通溝を含み、前記貫通溝の中にはいずれも伝動ギヤが回転できるように設置され、前記伝動ギヤの前側端面にはいずれも第三プーリが固定的に設置され、前記貫通溝の中にはまた回転板が回転できるように設置され、前記回転板の底端と前記伝動ギヤとが噛み合うように設置され、前記回転板の頂端にはいずれも揺れ動き板が固定的に設置され、前記揺れ動き板の頂部には照明ライトが固定的に設置され、前記スライドチャンバの左右両側の端壁の中にはいずれも糸巻きチャンバが設置され、前記糸巻きチャンバの中にはいずれも第二リールが回転できるように設置され、前記第二リールにはいずれも第二引き紐が巻き付いており、前記第二引き紐の一端が前記スライド板と固定され、前記第二引き紐のもう一端が前記揺れ動き板と固定的に連結されている。 
【０００８】
さらなる技術プランには、前記伝動チャンバの底部の前記ボックス主体の中にはいずれも動力チャンバが設置され、二組の前記動力チャンバの間には左右に伸びるように設置された動力軸が回転できるように設置され、前記動力チャンバの中に位置している前記動力軸の外周にはいずれも第一ベベルギヤが固定的に設置され、前記動力軸の左側末端と前記ボックス主体の中に固定的に嵌められたモーターとが動力が伝達できるように連結され、前記伝動チャンバと前記動力チャンバとの間にはいずれも伝動軸が回転できるように設置され、前記伝動軸の底端にはいずれも前記動力チャンバの中に位置している第二ベベルギヤが固定的に設置され、前記第二ベベルギヤと前記第一ベベルギヤとが噛み合っており、前記伝動軸の頂端にはいずれも第三ベベルギヤが固定的に設置され、前記伝動チャンバの中にはいずれも第四ベベルギヤが回転できるように設置され、前記第四ベベルギヤと前記第三ベベルギヤとが噛み合っており、前記第四ベベルギヤの前側端面にはいずれも第四プーリが固定的に設置され、前記第四プーリと前記第三プーリとの間が第二ベルトによって連結されている。 
【発明の効果】
【０００９】
本発明の有益な効果は：本発明の陳列棚は、装飾品を展示しない時に装飾品を収納でき、それと同時に半球状カバーの設計によって、装飾品を収納する時に装飾品に埃が付くことを避けられ、装飾品の清潔を保証でき、また、照明機構の設計によって装飾品が夜間に展示される時に明るく照らされることができ、観察に便利を与える。 
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１１】
【図１】図１は本発明の装飾品の陳列棚の内部全体構成概略図
【図２】図２は本発明の中のスライドブロックの左側内部構成概略図
【図３】図３は本発明の中の固定ブロックの部分拡大構成概略図
【図４】図４は本発明の中の滑り軸受の部分拡大構成概略図
【発明を実施するための形態】
【００１２】
図１〜４を参照して、本発明実施例の装飾品の陳列棚はボックス主体１０とベース１１とを含み、前記ボックス主体１０が前記ベース１１の頂端に固定され、前記ボックス主体１０の中にはスライドチャンバ２５が設置され、前記スライドチャンバ２５の中には装飾品陳列機構７１が設置され、前記装飾品陳列機構７１は前記スライドチャンバ２５の左右両側の端壁に設置されたスライド溝４６を含み、二組の前記スライド溝４６が左右対称的に設置され、前記スライドチャンバ２５の中にはスライドブロック３２が上下にスライドできるように設置され、前記スライドブロック３２の底端にはスライド板４５が固定的に設置され、前記スライド板４５が前記スライド溝４６の中に上下にスライドできるように設置され、前記スライドブロック３２の頂端には半球状チャンバ３１が設置され、前記半球状チャンバ３１の前後端壁の間には支持軸２９が固定的に設置され、前記支持軸２９の外周には展示台２７が固定的に設置され、前記展示台２７の頂端に装飾品を置くことができ、前記支持軸２９の外周には回転ブロック３０が設置され、前記回転ブロック３０は二組あり、二組の前記回転ブロック３０が前後対称的に設置され、二組の前記回転ブロック３０の間には半球状カバー２６が固定的に設置され、前側の前記回転ブロック３０と前記支持軸２９とが回転できるように連結され、後側の前記回転ブロック３０の中には滑り軸受４３が固定的に設置され、前記滑り軸受４３と前記支持軸２９とが回転できるように連結され、前記半球状チャンバ３１の後側端壁の中には小空きチャンバ４１が設置され、前記滑り軸受４３と前記小空きチャンバ４１の前側端壁とが回転できるように連結され、前記半球状チャンバ３１の底端には長空きチャンバ６２が設置され、前記長空きチャンバ６２と前記小空きチャンバ４１とが連通するように設置され、前記長空きチャンバ６２の中には前記半球状カバー２６の開閉を制御できる反転機構７２が設置され、前記スライドチャンバ２５の左右両側の端壁の中にはいずれも伝動チャンバ１７が設置され、前記ボックス主体１０の左右両側の端面にはいずれも固定ブロック６０が固定的に設置され、前記固定ブロック６０の中には装飾品を明るく照らせる照明機構７３が設置されている。 
【００１３】
前記反転機構７２は前記長空きチャンバ６２の中に回転できるように設置された横軸３８を含み、前記横軸３８が前後に伸びるように設置され、前記横軸３８の外周には第一リール３７が固定的に設置され、前記横軸３８の外周にはまた第一プーリ３９が固定的に設置され、前記第一プーリ３９が前記第一リール３７の後側に位置しており、前記横軸３８の外周にはねじりばね６７が設置され、前記ねじりばね６７の一端が前記長空きチャンバ６２の内壁と固定され、前記ねじりばね６７のもう一端が前記横軸３８と固定され、前記滑り軸受４３の後端には前記小空きチャンバ４１の中に位置している第二プーリ４２が固定的に設置され、前記第二プーリ４２と前記第一プーリ３９との間が第一ベルト４０によって連結され、前記スライドチャンバ２５の底壁には底溝３３が設置され、前記底溝３３と前記長空きチャンバ６２とが連通しており、前記底溝３３の中には第一引き紐３４が設置され、前記第一引き紐３４の一端が前記底溝３３の底壁と固定され、前記第一引き紐３４のもう一端が前記第一リール３７に巻き付いており、前記スライド板４５の上方へのスライドにより、前記第一引き紐３４が前記第一リール３７を引き動かして回転させ、更に前記横軸３８が前記第一プーリ３９を回転連動させ、第一プーリ３９が前記第一ベルト４０を通して前記第二プーリ４２を回転連動させ、更に前記滑り軸受４３が前記半球状カバー２６を反転連動させ、それにより前記展示台２７にある装飾品を展示できる。 
【００１４】
前記照明機構７３は前記固定ブロック６０の中に設置された貫通溝５２を含み、前記貫通溝５２の中にはいずれも伝動ギヤ６８が回転できるように設置され、前記伝動ギヤ６８の前側端面にはいずれも第三プーリ５１が固定的に設置され、前記貫通溝５２の中にはまた回転板５０が回転できるように設置され、前記回転板５０の底端と前記伝動ギヤ６８とが噛み合うように設置され、前記回転板５０の頂端にはいずれも揺れ動き板２０が固定的に設置され、前記揺れ動き板２０の頂部には照明ライト２２が固定的に設置され、前記スライドチャンバ２５の左右両側の端壁の中にはいずれも糸巻きチャンバ２３が設置され、前記糸巻きチャンバ２３の中にはいずれも第二リール２４が回転できるように設置され、前記第二リール２４にはいずれも第二引き紐４７が巻き付いており、前記第二引き紐４７の一端が前記スライド板４５と固定され、前記第二引き紐４７のもう一端が前記揺れ動き板２０と固定的に連結され、前記貫通溝５２の回転を通し、前記揺れ動き板２０を揺り動かし、更にそれにより前記第二引き紐４７が前記スライド板４５を引き動かして上方へ移動させ、それにより前記スライドブロック３２が上方へスライドし、前記半球状カバー２６が開けられる。 
【００１５】
前記伝動チャンバ１７の底部の前記ボックス主体１０の中にはいずれも動力チャンバ１２が設置され、二組の前記動力チャンバ１２の間には左右に伸びるように設置された動力軸３５が回転できるように設置され、前記動力チャンバ１２の中に位置している前記動力軸３５の外周にはいずれも第一ベベルギヤ１３が固定的に設置され、前記動力軸３５の左側末端と前記ボックス主体１０の中に固定的に嵌められたモーター３６とが動力が伝達できるように連結され、前記伝動チャンバ１７と前記動力チャンバ１２との間にはいずれも伝動軸１５が回転できるように設置され、前記伝動軸１５の底端にはいずれも前記動力チャンバ１２の中に位置している第二ベベルギヤ１４が固定的に設置され、前記第二ベベルギヤ１４と前記第一ベベルギヤ１３とが噛み合っており、前記伝動軸１５の頂端にはいずれも第三ベベルギヤ１６が固定的に設置され、前記伝動チャンバ１７の中にはいずれも第四ベベルギヤ１８が回転できるように設置され、前記第四ベベルギヤ１８と前記第三ベベルギヤ１６とが噛み合っており、前記第四ベベルギヤ１８の前側端面にはいずれも第四プーリ１９が固定的に設置され、前記第四プーリ１９と前記第三プーリ５１との間が第二ベルト７０によって連結され、前記モーター３６を制御して作動させることにより、前記動力軸３５が回転し、更に前記第一ベベルギヤ１３が前記第二ベベルギヤ１４を回転連動させ、それにより前記伝動軸１５が前記第三ベベルギヤ１６を回転連動させ、前記第四ベベルギヤ１８を回転させ、更に前記伝動ギヤ６８を回転させ、それにより前記照明機構７３が開けられる。 
【００１６】
使用する時、まずモーター３６を制御して作動させ、それによって動力軸３５が回転し、更に第一ベベルギヤ１３が第二ベベルギヤ１４を回転連動させ、それにより伝動軸１５が第三ベベルギヤ１６を回転連動させ、第四ベベルギヤ１８を回転させ、更に伝動ギヤ６８を回転させ、それによって揺れ動き板２０が揺れ動き、更に第二引き紐４７がスライド板４５を引き動かして上方へ移動させ、それによりスライドブロック３２が上方へスライドし、第一引き紐３４が第一リール３７を引き動かして回転させ、更に横軸３８が第一プーリ３９を回転連動させ、第一プーリ３９が第一ベルト４０を通して第二プーリ４２を回転連動させ、更に滑り軸受４３が半球状カバー２６を反転連動させて半球状チャンバ３１の中に収納し、それによって展示台２７にある装飾品を展示でき、装飾品を収納する時、モーター３６を制御して逆方向へ回転させれば装飾品の収納を実現できる。 
【００１７】
本発明の有益な効果は：本発明の陳列棚は、装飾品を展示しない時に装飾品を収納でき、それと同時に半球状カバーの設計によって、装飾品を収納する時に装飾品に埃が付くことを避けられ、装飾品の清潔を保証でき、また、照明機構の設計によって装飾品が夜間に展示される時に明るく照らされることができ、観察に便利を与え、且つ展示しない時、直接に収納でき、従業員によって装飾品を収納する手間が省ける。 
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。